(57)【要約】  【課題】  空状態における全体の容積をコンパクト化して空状態の保管及び輸送の効率を高める。  【解決手段】  鍔板１の内面１ａ側に、巻胴２の内面２ａと対向する係止手段３を設け、この係止手段３により一対の鍔板１の内面１ａ側に亘って巻胴２を着脱自在に係止すると共に、少なくとも各鍔板１を再使用可能な材質で形成することにより、使用済みの空状態になった後は、係止手段３による巻胴２との係止を解除して鍔板１から巻胴２を取り外し、少なくとも鍔板１を集めて積み重ねることで、これらの容量が格段に小さくなる。  【選択図】      図１
2005179004.tif 000002
【特許請求の範囲】
【請求項１】
一対の鍔板（１）の間に円筒形の巻胴（２）を取り付けた長尺物巻き取りドラムにおいて、
前記鍔板（１）の内面（１ａ）側に、巻胴（２）の内面（２ａ）と対向する係止手段（３）を設け、この係止手段（３）により一対の鍔板（１）の内面（１ａ）側に亘って巻胴（２）を着脱自在に係止すると共に、少なくとも各鍔板（１）を再使用可能な材質で形成したことを特徴とする長尺物巻き取りドラム。
【請求項２】
前記鍔板（１）の中心孔（１ｂ）の周縁に沿って支持筒部（１ｃ）を内面（１ａ）側のみに突設し、この支持筒部（１ｃ）に、夫々同じ向きにした鍔板（１）の支持筒部（１ｃ）が嵌り込む段差部（１ｈ，１ｈ′）を形成した請求項１記載の長尺物巻き取りドラム。
【発明の詳細な説明】
【技術分野】
【０００１】
本発明は、例えばホースや線材などの可撓性を有する長尺物を巻き取るためのドラム（ボビン）に関する。
詳しくは、一対の鍔板の間に円筒形の巻胴を取り付けた長尺物巻き取りドラムに関する。
【背景技術】
【０００２】
従来、この種の長尺物巻き取りドラムとして、両鍔板（側板）と巻胴（中芯）を段ボール紙で夫々形成し、巻胴の開口端部（両側開放端部）を切り込んで周方向へ多数の耳片が形成され、これら巻胴の開口端部及び耳片を両鍔板の中心孔（通孔）から両鍔板の外面へ突出させ、この突出させた各耳片を中心孔の開口外周面に折り曲げて止着することにより、両鍔板と巻胴を着脱不能に連結したものがある（例えば、特許文献１参照）。
また、両鍔板（側板）と巻胴を厚紙などの平面材で夫々形成し、巻胴の開口端部（両側端部）に、該巻胴の軸線に直交する方向へ切り起こされた放射多片状のフランジ形の取り付け片が形成され、これら巻胴の取り付け片の外側面に接着剤を塗布して、両鍔板の中心孔の周縁に接着することにより、両鍔板と巻胴を着脱不能に連結したものがある（例えば、特許文献２参照）。
【０００３】
【特許文献１】実公平５−１５５０１号公報（第２頁、第１−２図）
【特許文献２】実開平５−４２２６６号公報（第５頁、図１）
【発明の開示】
【発明が解決しようとする課題】
【０００４】
しかし乍ら、このような従来の長尺物巻き取りドラムでは、両鍔板と巻胴が着脱不能に連結されるため、巻胴からホースなどの長尺物を全て取り出して使用済みの空状態となった時に、その容積が大きいことから、使用者側は潰したり壊すなどして廃棄するのが一般的であった。即ち、使い捨てとなっていた。
長尺物巻き取りドラムの部品全てを段ボール紙や厚紙などの可燃材料で構成した場合には、その一部又は全てを不燃材料で構成したものに比べて廃棄が容易で材料レベルでの再利用が可能になるものの、産業廃棄物であることに変わりなく、廃棄物処理法によって使用者の負担で処理しなければならず、特に近年では、産業廃棄物の減量を狙って、自治体が産業廃棄物に課税する動きが全国に広がっていることから、上述した使い捨てタイプに代えて、循環再利用（リサイクル）可能なものを使用することが考えられる。
しかし、循環再利用を可能にするには、使用済みの空状態となった長尺物巻き取りドラムを、使用者側で一時保管しておき、所定個数になったところで生産者側へ戻す必要があるが、その容積が大きいことから使用者側で所定個数になるまで一時保管することが困難であると共に、生産者側へ返送する際も一回で大量に輸送できず不向きであることが、循環再利用を推進させるのに最大の問題点となっている。
【０００５】
本発明のうち請求項１記載の発明は、空状態における全体の容積をコンパクト化して空状態の保管及び輸送の効率を高めることを目的としたものである。
請求項２記載の発明は、請求項１に記載の発明の目的に加えて、保管及び輸送時の荷崩れを防止して高く積み上げ可能にすることを目的としたものである。
【課題を解決するための手段】
【０００６】
前述した目的を達成するために、本発明のうち請求項１記載の発明は、鍔板１の内面１ａ側に、巻胴２の内面２ａと対向する係止手段３を設け、この係止手段３により一対の鍔板１の内面１ａ側に亘って巻胴２を着脱自在に係止すると共に、少なくとも各鍔板１を再使用可能な材質で形成したことを特徴とするものである。
請求項２記載の発明は、請求項１記載の発明の構成に、前記鍔板１の中心孔１ｂの周縁に沿って支持筒部１ｃを内面１ａ側のみに突設し、この支持筒部１ｃに、夫々同じ向きにした鍔板１の支持筒部１ｃが嵌り込む段差部１ｈ，１ｈ′を形成した構成を加えたことを特徴とする。
【発明の効果】
【０００７】
以上説明したように、本発明のうち請求項１記載の発明は、鍔板１の内面１ａ側に、巻胴２の内面２ａと対向する係止手段３を設け、この係止手段３により一対の鍔板１の内面１ａ側に亘って巻胴２を着脱自在に係止すると共に、少なくとも各鍔板１を再使用可能な材質で形成することにより、使用済みの空状態になった後は、係止手段３による巻胴２との係止を解除して鍔板１から巻胴２を取り外し、少なくとも鍔板１を集めて積み重ねることで、これらの容量が格段に小さくなる。
従って、空状態における全体の容積をコンパクト化して空状態の保管及び輸送の効率を高めることができる。
その結果、両鍔板と巻胴が着脱不能に連結される使い捨てタイプの従来のものに比べ、長尺物巻き取りドラムの循環再利用を一気に推進させることができて、産業廃棄物の減量が図れ、しかも自然環境に優しい。
【０００８】
請求項２の発明は、請求項１の発明の効果に加えて、鍔板１の中心孔１ｂの周縁に沿って支持筒部１ｃを内面１ａ側のみに突設し、この支持筒部１ｃに、夫々同じ向きにした鍔板１の支持筒部１ｃが嵌り込む段差部１ｈ，１ｈ′を形成することにより、同じ向きにした鍔板１が段積みされて、夫々の支持筒部１ｃを、隣り合う鍔板１の段差部１ｈ，１ｈ′に夫々嵌め込むことで、段積み状態が安定する。
従って、保管及び輸送時の荷崩れを防止して高く積み上げることができる。
その結果、空状態の保管及び輸送が更に容易となって、長尺物巻き取りドラムの循環再利用をより一層推進できる。
【発明を実施するための最良の形態】
【０００９】
本発明の長尺物巻き取りドラムＡは、図１〜図５に示す如く、左右一対の鍔板１，１を合成樹脂や金属などの再使用可能な硬質材料で円板状に形成すると共に、巻胴２を例えば厚紙や段ボールなどの円筒形に形成可能でしかもリサイクルや廃棄が容易な材質により形成し、これら両鍔板１，１の内面１ａ，１ａ側に、巻胴２の内面２ａと対向する係止手段３，３を設け、この係止手段３，３により両鍔板１，１の内面に亘って該巻胴２を着脱自在に係止することで一体的に取り付けられるものである。
以下、本発明の各実施例を図面に基づいて説明する。
【実施例１】
【００１０】
この実施例１は、図１（ａ）（ｂ）〜図４に示す如く、両鍔板１，１の中心孔１ｂ，１ｂの周縁に沿って支持筒部１ｃ，１ｃを内面１ａ，１ａ側のみに夫々突設し、これら支持筒部１ｃ，１ｃの外面に、予め円筒形に形成するか又は円筒形に形成しながら巻胴２の開口端部２ｂ，２ｂを嵌挿して夫々の内面２ａと当接させると共に、上記係止手段３，３で巻胴２の開口端部２ｂ，２ｂを夫々着脱自在に係止することにより、両鍔板１，１の間に円筒状の巻胴２が一体的に取り付けられる場合を示すものである。
【００１１】
詳しくは、図１（ａ）（ｂ）に示す如く、上記係止手段３，３が、上記支持筒部１ｃ，１ｃの外面に周方向へ等間隔毎に突設した係止フック３ａ…，３ａ…であり、これら係止フック３ａ…，３ａ…に対し、巻胴２の開口端部２ｂ，２ｂに周方向へ等間隔毎に開穿された係止孔２ｃ…，２ｃ…を夫々引っ掛けることで両者を着脱自在に係止させ、この巻胴２の外周面２ｄに沿って例えばホースなどの長尺物Ｂを巻き付けている。
【００１２】
上記両鍔板１，１の外面１ｄ，１ｄには、長尺物巻き取りドラムＡを段積みした際に、相互に係合する形状の凸部１ｅと凹部１ｆが形成され、図示例では、これら凸部１ｅと凹部１ｆを周方向へ交互に配置している。
【００１３】
詳しくは、図１（ａ）及び図２に示す如く、上記凸部１ｅとして、両鍔板１，１の中心孔１ｂ，１ｂの周縁近くに円柱状の凸部を周方向へ適宜間隔毎に複数突設し、上記凹部１ｆとして、補強リブ１ｇ…によって略扇形に区画形成された略扇形の凹部を凹設している。
【００１４】
そして、図３に示す如く、複数の長尺物巻き取りドラムＡを段積みし、その隣り合う鍔板１，１の外面１ｄ，１ｄ同士を接近させて、円柱状凸部１ｅ…を略扇形凹部１ｆ…に夫々嵌め込むと、互いに径方向へ位置ズレ不能に係合する。
【００１５】
更に、前記両鍔板１，１の支持筒部１ｃ，１ｃの内周面には、分解した鍔板１…のみを夫々同じ向きにして積み重ねた際に、各支持筒部１ｃが嵌り込む段差部１ｈ，１ｈを形成している。
図示例の場合には、図４に示す如く、各支持筒部１ｃの先端部のみが各段差部１ｈ内に嵌り込む形状としている。
【００１６】
また、前記巻胴２には、その一方の開口端部２ｂ側に貫通孔２ｅを開穿し、この貫通孔２ｅ内に例えばホースなどの長尺物Ｂの基端部Ｂ１を挿通して係止することにより、長尺物Ｂを巻き付け易くすることが好ましい。
この貫通孔２ｅに対応して、前記鍔板１の支持筒部１ｃに切欠部１ｃ′を形成しても良い。
【００１７】
次に、斯かる長尺物巻き取りドラムＡの作用について説明する。
使用済みの空状態になった後は、図２に示す如く、上記係止手段３，３の係止フック３ａ…，３ａ…による巻胴２の開口端部２ｂ，２ｂとの係止を解除して、鍔板１，１から巻胴２を取り外し、この分解された鍔板１のみを集めて積み重ねると共に、取り外した巻胴２を短冊状に展開してそのまま積み重ねるか、又は展開してから折り畳んで積み重ねることで、これらの容量が格段に小さくなる。
【００１８】
従って、空状態における全体の容積をコンパクト化して、空状態の保管及び輸送の効率を高めることができ、それにより、長尺物巻き取りドラムＡの循環再利用を一気に推進できる。
また、これら鍔板１及び巻胴２は回収し、鍔板１は再使用され、巻胴２はリサイクル又は廃棄する。
【００１９】
更に図４に示す如く、分解した鍔板１…のみを夫々同じ向きにして積み重ねた際には、夫々の支持筒部１ｃ…を、隣り合う鍔板１…の段差部１ｈ…に夫々嵌め込むことで、段積み状態が安定する。
従って、保管及び輸送時の荷崩れを防止して高く積み上げることができ、それにより、空状態の保管及び輸送が更に容易となって、長尺物巻き取りドラムの循環再利用をより一層推進できる。
【実施例２】
【００２０】
この実施例２は、図５に示す如く、前述の分解した鍔板１…のみを夫々同じ向きにして積み重ねた際に、各支持筒部１ｃだけでなく、その外面に突設された係止フック３ａも含めて、隣り合う鍔板１の段差部１ｈ′内へ嵌り込む形状に形成した構成が、前記図１〜図４に示した実施例１とは異なり、それ以外の構成は図１〜図４に示した実施例１と同じものである。
【００２１】
従って、図５に示すものは、分解された鍔板１…のみを全くガタ付くことなく夫々同じ向きに積み重ねることができ、それにより、大量の鍔板１…を更にコンパクトに保管できると共に、一度にまとめて輸送できるという利点がある。
【００２２】
尚、上述した支持筒部１ｃと段差部１ｈ，１ｈ′の形状は、図示した形状に限定されず、互いに嵌り込む形状であれば、図示しない他の形状であっても良く、更に前述した各凸部１ｅ及び凹部１ｆの形状も、図示した形状に限定されず、相互に係合すれば、図示しない他の形状であっても良い。
【図面の簡単な説明】
【００２３】
【図１】（ａ）が本発明の実施例１を示す長尺物巻き取りドラムの斜視図であり、（ｂ）が要部を部分拡大して示す縦断面図である。
【図２】分解斜視図である。
【図３】積み重ねた状態を示す部分的な拡大縦断面図である。
【図４】分解した鍔板のみを積み上げた状態の部分的な縦断面図である。
【図５】本発明の実施例２を示す長尺物巻き取りドラムの分解した鍔板のみを積み上げた状態の縦断面図である。
【符号の説明】
【００２４】
Ａ  長尺物巻き取りドラム            Ｂ  長尺物
Ｂ１  末端部                        Ｓ  空間部
１  鍔板                            １ａ  内面
１ｂ  中心孔                        １ｃ  支持筒部
１ｄ  外面                          １ｅ  凸部
１ｆ  凹部                          １ｇ  補強リブ
１ｈ，１ｈ′  段差部                ２  巻胴
２ａ  内面                          ２ｂ  開口端部
２ｃ  係止孔                        ２ｄ  外周面
２ｅ  貫通孔                        ３  係止手段
３ａ  係止フック                    ３ｂ  中芯板
３ｃ  挿入片                        ３ｄ  係止爪
【図１】
2005179004.tif 000003
【図２】
2005179004.tif 000004
【図３】
2005179004.tif 000005
【図４】
2005179004.tif 000006
【図５】
2005179004.tif 000007